(57)【要約】【課題】作業性良く受け網フレームを受け網ガイドから外すことができるようにする。【解決手段】樹脂製受け網１０を張設した受け網フレーム２１の扱胴軸芯に沿った方向の両端の円弧状側辺部２１ａを、扱胴軸芯に沿った方向に設定間隔を隔てて配置する受け網ガイド２０に扱胴軸芯に沿った方向での移動を規制状態で載置支持させ、受け網フレーム２１の円弧状側辺部２１ａと受け網ガイド２０との隙間２２を閉塞する蓋２３を形成するように樹脂製受け網１０を扱胴軸芯に沿った方向に延長させる。【選択図】        図５
2004222605.tif 000002
【特許請求の範囲】
【請求項１】
樹脂製受け網を張設した受け網フレームの扱胴軸芯に沿った方向の両端の円弧状側辺部を、扱胴軸芯に沿った方向に設定間隔を隔てて配置する受け網ガイドに扱胴軸芯に沿った方向での移動を規制状態で載置支持させてある脱穀装置の受け網支持構造であって、前記受け網フレームの円弧状側辺部と受け網ガイドとの隙間を閉塞する蓋を形成するように前記樹脂製受け網を扱胴軸芯に沿った方向に延長させてある脱穀装置の受け網支持構造。
【請求項２】
前記蓋と受け網ガイドとを逆ハの字形に配置する傾斜面で接触するように構成してある請求項１記載の脱穀装置の受け網支持構造。
【請求項３】
前記蓋と受け網ガイドとを扱胴軸芯に沿った方向の面で接触するように構成してある請求項１記載の脱穀装置の受け網支持構造。
【発明の詳細な説明】
【０００１】
【発明の属する技術分野】
本発明は、樹脂製受け網を張設した受け網フレームの扱胴軸芯に沿った方向の両端の円弧状側辺部を、扱胴軸芯に沿った方向に設定間隔を隔てて配置する受け網ガイドに扱胴軸芯に沿った方向での移動を規制状態で載置支持させてある脱穀装置の受け網支持構造に関する。
【０００２】
【従来の技術】
従来の受け網支持構造では、受け網フレームの円弧状側辺部と受け網ガイドとの隙間のうち扱胴軸芯側の開口が開放されたいた（例えば、特許文献１参照。）。
【０００３】
【特許文献１】
特開平１１ー８９３９８号公報
【０００４】
【発明が解決しようとする課題】
しかし、上記従来の技術によるときは、隙間の開口が開放されたいたから、脱穀作用に伴い隙間に藁屑が固く詰まり、受け網フレームを受け網ガイドから外す際、その隙間に藁屑が固く詰まっていることで容易に外すことができなかった。
【０００５】
本発明の目的は、作業性良く受け網フレームを受け網ガイドから容易に外すことができるようにする点にある。
【０００６】
【課題を解決するための手段】
請求項１に係る本発明による脱穀装置の受け網支持構造の特徴・作用・効果は次の通りである。
【０００７】
〔特徴〕
樹脂製受け網を張設した受け網フレームの扱胴軸芯に沿った方向の両端の円弧状側辺部を、扱胴軸芯に沿った方向に設定間隔を隔てて配置する受け網ガイドに扱胴軸芯に沿った方向での移動を規制状態で載置支持させてある脱穀装置の受け網支持構造であって、前記受け網フレームの円弧状側辺部と受け網ガイドとの隙間を閉塞する蓋を形成するように前記樹脂製受け網を扱胴軸芯に沿った方向に延長させてある点にある。
【０００８】
〔作用〕
樹脂製受け網を延長して隙間の開口を閉塞する蓋を形成してあるから、脱穀時に隙間に藁屑が入ることを防止することができる。
【０００９】
〔効果〕
従って、隙間への藁屑詰まりがないことで受け網フレームの受け網ガイドからの外しを作業性良く簡単に行え、しかも、樹脂製受け網を延長するといった簡単・安価な構造改良でそれを実施できるようになった。
【００１０】
請求項２に係る本発明による脱穀装置の受け網支持構造の特徴・作用・効果は次の通りである。
【００１１】
〔特徴〕
上記請求項１に係る本発明による脱穀装置の受け網支持構造において、前記蓋と受け網ガイドとを逆ハの字形に配置する傾斜面で接触するように構成してある点にある。
【００１２】
〔作用〕
傾斜面で蓋と受け網ガイドとを接触させることで隙間を閉塞するようにしてあるから、隙間の閉塞と同時に受け網ガイドに対する受け網フレームの扱胴軸芯に沿った方向での位置規制を行うことができる。
【００１３】
〔効果〕
従って、受け網フレームの受け網ガイドからの外し作業性を向上すると同時に、受け網ガイドに対する受け網フレームの位置規制性能を向上できるようになった。
【００１４】
請求項３に係る本発明による脱穀装置の受け網支持構造の特徴・作用・効果は次の通りである。
【００１５】
〔特徴〕
上記請求項１に係る本発明による脱穀装置の受け網支持構造において、前記蓋と受け網ガイドとを扱胴軸芯に沿った方向の面で接触するように構成してある点にある。
【００１６】
〔作用〕
蓋を受け網ガイドに扱胴軸芯方向に沿った面で接触させることにより、隙間を閉塞するようにしてあるから、隙間の閉塞を確実に行って、藁屑の隙間への侵入防止性能を優れたものにできるようになった。
【００１７】
〔効果〕
従って、隙間への藁屑侵入防止性能の向上により、一層、受け網フレームの受け網ガイドからの外し性能を向上できるようになった。
【００１８】
【発明の実施の形態】
コンバインは、図１に示すように、左右一対のクローラ走行装置１を備えた機体フレーム２の前部に植立穀稈を刈り取って後方に搬送する刈取部３を昇降自在に連設し、前記機体フレーム２に、前記刈取部３からの穀稈を脱穀処理する脱穀装置４と脱穀穀物を貯溜するタンク５と搭乗運転部６とを搭載して構成されている。
【００１９】
前記脱穀装置４は、図２、図３に示すように、フィードチェーン７により挾持搬送される穀稈を脱穀処理する扱胴８を内装した扱ぎ室９と、この扱ぎ室９から受け網１０を通して漏下してくる脱穀物を選別する選別室１１と、この選別室１１に選別風を供給する唐箕１２とを有し、前記選別室１１内には、脱穀物を揺動選別する揺動選別体１３が設置され、また、前記選別室１１の底部には、一番物回収部１４と二番物回収部１５とが形成されている。
前記一番物回収部１４には、回収一番物を前記タンク５への供給装置に搬送供給する一番スクリュー１７が、かつ、二番物回収部１５には、回収二番物を選別室１１への還元装置１８に搬送供給する二番スクリュー１９がそれぞれ設置されている。
【００２０】
前記受け網１０は、扱胴軸芯ｘ周りに沿って湾曲配置する樹脂製のものであって、図４、図５に示すように、扱胴軸芯ｘに沿った方向に設定間隔を隔てて配置するアングル材状の受け網ガイド２０にその扱胴軸芯ｘに沿った方向の両端の扱胴軸芯ｘ周りの円弧状側辺部２１ａを扱胴軸芯ｘに沿った方向での移動を規制された状態で載置支持されるアングル材利用の受け網フレーム２１に張設されている。
【００２１】
そして、前記受け網フレーム２１の円弧状側辺部２１ａと受け網ガイド２０との隙間２２のうち扱胴軸芯側の開口を閉塞する蓋２３を形成するように前記樹脂製受け網１０を扱胴軸芯に沿った方向に延長させてある。具体的には、蓋２３と受け網ガイド２０を逆ハの字形に配置する傾斜面ａ，ｂで接触するように構成してある。
【００２２】
〔別実施形態〕
上記実施の形態では、傾斜面ａ，ｂで蓋２３と受け網ガイド２０とを接触させることで隙間２２の開口を閉塞するようにしたが、図６に示すように、蓋２３と受け網ガイド２０とを扱胴軸芯に沿った方向の面ｃ，ｄで接触させることにより、隙間２２の開口を閉塞するようにしても良い。
【図面の簡単な説明】
【図１】コンバインの側面図
【図２】脱穀装置の縦断側面図
【図３】脱穀装置要部の縦断正面図
【図４】受け網関係の斜視図
【図５】受け網支持部の縦断側面図
【図６】別実施形態を示す受け網支持部の縦断側面図
【符号の説明】
１０      樹脂製受け網
２１      受け網フレーム
ｘ        扱胴軸芯
２１ａ    円弧状側辺部
２０      受け網ガイド
２２      隙間
２３      蓋
ａ        傾斜面
ｂ        傾斜面
ｃ        面
ｄ        面
【図１】
2004222605.tif 000003
【図２】
2004222605.tif 000004
【図３】
2004222605.tif 000005
【図４】
2004222605.tif 000006
【図５】
2004222605.tif 000007
【図６】
2004222605.tif 000008